(57)【特許請求の範囲】
【請求項１】
ガス流量を検出するガス流量検出手段と、ガス流量をカウントし記憶するガス流量カウント手段と、外部との通信を行う通信手段と、前記通信手段により警告レベル値を設定される警告レベル１記憶手段と、前記通信手段により警告レベル値を設定される警告レベル２記憶手段と、前記通信手段により警告レベル値を設定される警告レベル３記憶手段と、前記警告レベル１記憶手段と、前記警告レベル２記憶手段と、前記警告レベル３記憶手段のそれぞれの警告レベル値を比較する警告レベル比較手段と、前記警告レベル比較手段からの信号により警告レベル１記憶手段には警告レベル値の最小値を、警告レベル２記憶手段には警告レベル値の中間値を、警告レベル３記憶手段には警告レベル値の最大値を設定するよう入れ替える警告レベル入れ替え手段と、前記ガス流量カウント手段のカウント値と各々の警告レベル記憶手段の警告レベル値とを比較するガス使用量比較手段と、前記ガス使用量比較手段からの信号によりガス使用開始からのガス使用量がどの警告レベル記憶手段の警告レベル値を越えたか否かを判定し、越えた場合には前記通信手段を用いて外部に通報する判定手段とを有するガス遮断制御装置。
【発明の詳細な説明】
【０００１】
【発明の属する技術分野】
ＬＰガスボンベの残量管理において、センター装置に伝送する警告レベルの設定方法に関する。
【０００２】
【従来の技術】
現状のＬＰガスボンベの残量管理の運用の仕方は、警告レベルを３段階に分け、警告レベル１が最小値、警告レベル２が中間値、警告レベル３が最大値とし、ガスの使用量がそれぞれの警告レベルに達する毎に、それぞれの警告レベルに到達したと意味付けしたフラグをセンター装置に伝送するのが一般的である。以下、図面に基づき説明する。
【０００３】
図３は従来のガス遮断制御装置の制御ブロック図である。また、図４は同ガス遮断制御装置の残量管理の動作を示すフローチャートであり、図５は同ガス遮断制御装置の警告レベル設定の動作を示すフローチャートである。
【０００４】
図３において、１はガス流量検出手段、２はガス流量カウント手段で、ガス流量検出手段１から信号を入力する毎にカウンターをカウントアップする。６はガス使用量比較手段でガス流量カウント手段２のカウンター値と警告レベル１記憶手段３の警告レベル値と、警告レベル２記憶手段４の警告レベル値と、警告レベル３記憶手段５の警告レベル値とを常に個別に比較し、ガス流量カウント手段２のカウント値と警告レベル１記憶手段３の警告レベル値と、前記カウント値と警告レベル２記憶手段４の警告レベル値と、前記カウント値と警告レベルレベル３記憶手段５の警告レベル値との大小関係を常に出力している。また、警告レベル１記憶手段３、警告レベル２記憶手段４、警告レベル３記憶手段５の各々の警告レベル値は、通信手段８を通じて外部から読み書きすることができる。
【０００５】
判定手段７は常にガス使用量比較手段６から出力する信号を監視しており、ガス使用量比較手段６からの信号によりガス流量カウント手段２のカウント値がいずれかの警告レベル記憶手段の警告レベル値を上回ると、通信手段８により前記の警告レベル記憶手段の警告レベル値を越えたと通報する。
【０００６】
また、図４の従来のガス遮断制御装置の残量管理の動作を示すフローチャートに示すように、最初にステップ１１でガス流量カウント手段２のカウント値と警告レベル１記憶手段３の警告レベル値とを比較し、最後にステップ１５でガス流量カウント手段２のカウント値と警告レベル３記憶手段５の警告レベル値との比較を行っており、このことにより各々の警告レベル記憶手段の警告レベル値の大、小関係の順番を正しく設定すればセンターに最初に通報される情報が警告レベル１であり、最後に警告レベル３の情報がセンターに通報されるようになっている。
【０００７】
しかし、図５の従来のガス遮断制御装置の警告レベル設定の動作を示すフローチャートのようにセンターから各々の警告レベル設定電文を受信してそれぞれのステップで警告レベルを記憶し、設定する際に各々の警告レベル値の大小の関係に考慮がされていない。
【０００８】
【発明が解決しようとする課題】
従って、前記従来の構成では、次のような問題点がある。ＬＰガスボンベの残量管理の方法は、警告レベル１を最も小さくし、また警告レベル３を最も大きくしており、これは専らセンターソフトに警告レベルを書き込む時に実施されている。従ってセンターで正しく実施すればセンターには警告レベル１から通報されるのが通常であり、またこの方法が市場で一般的である。
【０００９】
しかし、センターソフトに警告レベルを書き込む際に何らかの事故により、例えば警告レベル１が警告レベル２より大きく設定された場合、警告レベル１は最初にセンターに通報されず、警告レベル１と２が同時に通報されるという不具合が生じる。この場合、ガス遮断制御装置が正常にも拘わらず不良品扱いとなり、ナンセンスコールの一因になるという課題があった。
【００１０】
【課題を解決するための手段】
前記課題を解決するため本発明は、ガス流量を検出するガス流量検出手段と、ガス流量をカウントし記憶するガス流量カウント手段と、外部との通信を行う通信手段と、前記通信手段により警告レベル値を設定される警告レベル１記憶手段と、前記通信手段により警告レベル値を設定される警告レベル２記憶手段と、前記通信手段により警告レベル値を設定される警告レベル３記憶手段と、前記警告レベル１記憶手段と、前記警告レベル２記憶手段と、前記警告レベル３記憶手段のそれぞれの警告レベル値を比較する警告レベル比較手段と、前記警告レベル比較手段からの信号により警告レベル１記憶手段には警告レベル値の最小値を、警告レベル２記憶手段には警告レベル値の中間値を、警告レベル３記憶手段には警告レベル値の最大値を設定するよう入れ替える警告レベル入れ替え手段と、前記ガス流量カウント手段のカウント値と各々の警告レベル記憶手段の警告レベル値を比較するガス使用量比較手段と、前記ガス使用量比較手段からの信号によりガス使用開始からのガス使用量がどの警告レベル記憶手段の警告レベル値を越えたか否かを判定し、越えた場合には前記通信手段を用いて外部に通報する判定手段とを有するガス遮断装置であり、ＬＰガス市場において残量管理を運営する際に、警告レベル１、警告レベル２、警告レベル３をそれぞれの警告レベル値の大小に関係なく設定を行っても、警告レベル比較手段により各々の警告レベルの大小関係を判断し、警告レベル入れ替え手段に出力し、警告レベル値の順番が正しく設定されるので従来通りに警告レベル１から順番にセンターに通報され、ナンセンスコールをなくすることができる。
【００１１】
【発明の実施の形態】
前記課題を解決するため、ガス流量を検出するガス流量検出手段と、ガス流量をカウントし記憶するガス流量カウント手段と、外部との通信を行う通信手段と、前記通信手段により警告レベル値を設定される警告レベル１記憶手段と、前記通信手段により警告レベル値を設定される警告レベル２記憶手段と、前記通信手段により警告レベル値を設定される警告レベル３記憶手段と、前記警告レベル１記憶手段と、前記警告レベル２記憶手段と、前記警告レベル３記憶手段のそれぞれの警告レベル値を比較する警告レベル比較手段と、前記警告レベル比較手段からの信号により警告レベル１記憶手段には警告レベル値の最小値を、警告レベル２記憶手段には警告レベル値の中間値を、警告レベル３記憶手段には警告レベル値の最大値を設定するよう入れ替える警告レベル入れ替え手段と、前記ガス流量カウント手段のカウント値と各々の警告レベル記憶手段の警告レベル値とを比較するガス使用量比較手段と、前記ガス使用量比較手段からの信号によりガス使用開始からのガス使用量がどの警告レベル記憶手段の警告レベル値を越えたか否かを判定し、越えた場合には前記通信手段を用いて外部に通報する判定手段とを有するガス遮断制御装置であり、ＬＰガスボンベの残量を管理する方法としてガス流量検出手段でガス流量を検出し出力する。前記出力を入力する毎にガス流量カウント手段でガス使用量をカウントアップする。一方、通信手段により、警告レベル１、警告レベル２、警告レベル３の警告レベル値が伝導され、それぞれ警告レベル１記憶手段、警告レベル２記憶手段、警告レベル３記憶手段に記憶設定される。
【００１２】
残量管理するためガス使用量比較手段で前記ガス流量カウント手段でカウントアップされたカウント値、つまりガス使用量と、それぞれの警告レベル記憶手段の警告レベル値を個別に比較し信号を出力する。さらに判定手段は前記ガス使用量比較手段の出力信号によりガス使用開始からのガス使用量がどの警告レベル記憶手段の警告レベル値を越えたかを判定し、その結果を通信手段に伝え、通信手段によりその情報をセンターに伝送しガスの残量管理を行う。また、警告レベル記憶手段の警告レベルは通信手段を使ってセンターより伝送され設定される。全ての警告レベル記憶手段の警告レベル値が設定された場合、またはいずれかの警告レベル記憶手段の警告レベル値が書き替えられた場合、警告レベル比較手段が警告レベル１記憶手段、警告レベル２記憶手段、警告レベル３記憶手段のそれぞれの警告レベル値の大、小関係を比較しその結果を信号として出力する。警告レベル入れ替え手段は前記警告レベル比較手段からの出力信号に基づき、警告レベル１記憶手段の警告レベル値が最小値に、警告レベル２記憶手段の警告レベル値が中間値に、警告レベル３記憶手段の警告レベル値が最大値になるようそれぞれの警告レベル記憶手段の警告レベル値の入れ替えを行い、警告レベル値の設定を完了する。この結果たとえセンターなど外部から伝送される警告レベル値の順番に、誤りがあってもそれぞれの警告レベル記憶手段の警告レベル値の大小関係の順番が常に正しく設定され、従ってセンターへの通報は警告レベル１から順番に行われる。
【００１３】
以下本発明の一実施例を図面に基づき説明する。図１は本発明の一実施例のガス遮断制御装置のブロック図、図２は同ガス遮断制御装置の警告レベル設定の動作を示すフローチャートである。
【００１４】
図１において、図３と同等の構成要素には同一番号を付し一部説明を省略する。図１において、１はガス流量検出手段、２はガス流量カウント手段で、ガスが一定量流出するとガス流量検出手段１は信号を出力し、ガス流量カウント手段２は前記信号を入力される毎にカウンターをカウントアップする。一方、３は警告レベル１記憶手段、４は警告レベル２記憶手段、５は警告レベル３記憶手段、８は通信手段であり、警告レベル１記憶手段３・警告レベル２記憶手段４・警告レベル３記憶手段５のそれぞれの警告値は通信手段８により外部より読み書きができる。
【００１５】
また、６はガス使用量比較手段であり、常にガス流量カウント手段２のカウント値と、警告レベル１記憶手段３の警告レベル値と、警告レベル２記憶手段４の警告レベル値と、警告レベル３記憶手段５の警告レベル値とを個別に比較し、その結果を常に出力している。
【００１６】
７は判定手段であり、ガス使用量比較手段６からの出力信号によりガス使用開始からのガスの使用量がどの警告レベル記憶手段の警告レベル値を越えたかを判定し、その結果を通信手段８に伝え、通信手段８はその情報をセンターに伝送する。
【００１７】
また、９は警告レベル比較手段であり、いずれかの警告レベル記憶手段の警告レベル値が書き換えられた時、警告レベル１記憶手段３、警告レベル１記憶手段４、警告レベル３記憶手段５のそれぞれの警告レベル値の大小比較を実施し、その結果を信号として出力する。１０は警告レベル入れ替え手段で警告レベル比較手段９からの信号により、警告レベル１記憶手段３の警告レベル値が最小値に、警告レベル２記憶手段４の警告レベル値が中間値に、警告レベル３記憶手段５の警告レベル値が最大値になるように、それぞれの警告レベル記憶手段の警告レベル値を入れ替える。
【００１８】
今、通信手段８を通じて警告レベル１記憶手段３の警告レベル値が、警告レベル２記憶手段４の警告レベル値より大きく書き換えられたとする。その場合、警告レベル比較手段９は警告レベル１記憶手段３の警告レベル値と、警告レベル２記憶手段４の警告レベル値を比較し、警告レベル１記憶手段３の警告レベル値の方が、警告レベル２記憶手段４の警告レベル値より大きいという信号を警告レベル入れ替え手段１０に出力し、警告レベル入れ替え手段１０はその信号を受け、警告レベル１記憶手段３の警告レベル値と警告レベル２記憶手段４の警告レベル値を入れ替える。
【００１９】
その結果、警告レベル１記憶手段３の警告レベル値は最小値に、と警告レベル２記憶手段４の警告レベル値は中間値となり、ガス流量カウント手段のカウント値との比較で正しい順番にてセンターに通報することができるようになる。
【００２０】
前記構成により、従来なら各々の警告レベル記憶手段に書き込まれる警告レベルの値によっては、警告レベル値の逆転が生じ、順番を誤ってセンターに通報されていた事象が解消され、センターから各々の警告レベル記憶手段に大小に関係なく警告レベル値が書き込まれても、警告レベル１から順番にセンターに通報を行うことができる。
【００２１】
次に前記構成による警告レベル設定の動作を図２で説明する。図２は本発明の一実施例のガス遮断制御装置の警告レベル設定の動作を示すフローチャートである。
【００２２】
通信手段８からの電文が警告レベル１の設定分か否かをステップ１で判断し受信するとステップ２で警告レベル１記憶手段３に警告レベルが書き込まれる。
【００２３】
ステップ７で警告レベル１記憶手段３、警告レベル２記憶手段４、警告レベル３記憶手段５の各々の警告レベル値の大小を比較し、その結果からステップ８で警告レベル１記憶手段３には警告レベル値の最小値が、警告レベル２記憶手段４には警告レベル値の中間値が、警告レベル３記憶手段５には警告レベル値の最大値が入るように入れ替えを実施することにより警告レベル設定を完了する。前記プロセスにより各々の警告レベル値が正しく設定され警告レベル１から順番にセンター側に通報されることになる。
【００２４】
このことは、ステップ４で、警告レベル２記憶手段４及びステップ６で警告レベル３憶手段５に値が書き込まれる時も同様である。また、本実施例では警告レベルの記憶手段の数を３段階としたが、数に関係なく実施できる。
【００２５】
【発明の効果】
前記実施例からも明らかなように本発明によればＬＰガスの残量管理システムを運用するにあたり、センター装置等から警告レベル値の大小を誤って伝送したとしても、警告レベル比較手段がそれぞれの警告レベル設定値の大小関係を把握し、警告レベル入れ替え手段により警告レベルの値を適正に入れ替え、警告レベルの順番通りにセンター側に通報することにより、残量管理システムを円滑に運用することができる。
【図面の簡単な説明】
【図１】本発明の一実施例のガス遮断制御装置の制御ブロック図
【図２】同ガス遮断制御装置の警告レベル設定の動作を示すフローチャート
【図３】同ガス遮断制御装置の制御ブロック図
【図４】同ガス遮断制御装置の残量管理の動作を示すフローチャート
【図５】同ガス遮断制御装置の警告レベル設定の動作を示すフローチャート
【符号の説明】
１  ガス流量検出手段
２  ガス流量カウント手段
３  警告レベル１記憶手段
４  警告レベル２記憶手段
５  警告レベル３記憶手段
６  ガス使用量比較手段
７  判定手段
８  通信手段
９  警告レベル比較手段
１０  警告レベル入れ替え手段
【図１】
0003689978.tif 000002
【図２】
0003689978.tif 000003
【図３】
0003689978.tif 000004
【図４】
0003689978.tif 000005
【図５】
0003689978.tif 000006